(57)【要約】      （修正有）【課題】内部の過熱を緩和することができる内視鏡を提供する。【解決手段】光源３０と、光源からの光が一端に入射され、入射された光を導く導光線２５とを備える内視鏡において、光源の周囲に配置されており、光源から発せられ導光線の一端へ入射されない光をその表面まで透過させる透光部材３２を備える。【選択図】図４
0003215848.tif 000002
【実用新案登録請求の範囲】
【請求項１】
光源と、該光源からの光を一端に入射され、入射された光を導く導光線とを備える内視鏡において、
前記光源の周囲に配置されており、前記光源から発せられ前記導光線の一端へ入射されない光をその表面まで透過させる透光部材を備えること
を特徴とする内視鏡。
【請求項２】
前記表面まで前記透光部材内を透過した光を外部へ放射する窓部を更に備えること
を特徴とする請求項１に記載の内視鏡。
【請求項３】
前記透光部材は、前記導光線の長手方向に交差する複数の方向に配置されており、
前記窓部は複数設けられていること
を特徴とする請求項２に記載の内視鏡。
【請求項４】
前記窓部の少なくとも一部は、光の放射によって特定の情報が表示されるように構成されていること
を特徴とする請求項２又は３に記載の内視鏡。
【請求項５】
前記透光部材は、前記導光線の長手方向に沿った方向に伸張していること
を特徴とする請求項２乃至４のいずれか一つに記載の内視鏡。
【請求項６】
鉗子が挿入される鉗子口と、
前記透光部材内を透過した光を外部へ放射し、光の放射によって前記鉗子口の位置を示す指示部と
を更に備えることを特徴とする請求項１乃至５のいずれか一つに記載の内視鏡。
【請求項７】
前記表面の少なくとも一部を覆っており、前記表面まで前記透光部材内を透過した光を遮蔽し、発生した熱を伝導する熱伝導部材を更に備えること
を特徴とする請求項１乃至６のいずれか一つに記載の内視鏡。
【請求項８】
柱状の形状を有しており、人の手で把持されて操作される操作部を更に備え、
前記光源及び前記透光部材は、前記操作部の内部に配置されていること
を特徴とする請求項１乃至７のいずれか一つに記載の内視鏡。
【考案の詳細な説明】
【技術分野】
【０００１】
本考案は、内視鏡に関する。
【背景技術】
【０００２】
内視鏡を用いて生体又は建造物等の観察対象物の内部を観察するためには、照明光が必要である。内視鏡は、観察対象物の内部へ挿入するための長尺の挿入部を有する。挿入部には、導光を行うＬＣＢ（Light Carrying Bundle ）が内蔵されている。照明光は、ＬＣＢの一端へ入射され、挿入部の先端に位置するＬＣＢの他端から出射される。
【０００３】
内視鏡は、使用者が把持して操作する操作部を有している。操作部には、直接に又は他の部分を介して挿入部が連結している。内視鏡には、操作部内に光源を備えたものがある。光源は、例えばＬＥＤ（light emitting diode；発光ダイオード）である。特許文献１には、操作部内に光源を備えた内視鏡が開示されている。
【先行技術文献】
【特許文献】
【０００４】
【特許文献１】特開２０１４−３０６０３号公報
【考案の概要】
【考案が解決しようとする課題】
【０００５】
操作部内に光源を備えた内視鏡では、光源からの熱を操作部外へ放熱する必要がある。放熱が不十分である場合は、内視鏡の内部が過熱される。特許文献１には、ヒートシンクを用いて放熱を行うことが記載されている。しかしながら、医療用の内視鏡は気密構造を有しているので、効率的に放熱を行うことは困難である。
【０００６】
本考案は、斯かる事情に鑑みてなされたものであって、その目的とするところは、内部の過熱を緩和することができる内視鏡を提供することにある。
【課題を解決するための手段】
【０００７】
本考案に係る内視鏡は、光源と、該光源からの光を一端に入射され、入射された光を導く導光線とを備える内視鏡において、前記光源の周囲に配置されており、前記光源から発せられ前記導光線の一端へ入射されない光をその表面まで透過させる透光部材を備えることを特徴とする。
【考案の効果】
【０００８】
本考案にあっては、内視鏡の内部で光が吸収されることが抑制され、光の吸収による熱の発生が抑制される。このため、内視鏡が気密構造を有している場合であっても、内視鏡の内部の過熱が緩和される等、本考案は優れた効果を奏する。
【図面の簡単な説明】
【０００９】
【図１】内視鏡の構成を示す模式図である。
【図２】内視鏡の一部の外観を示す外観図である。
【図３】内視鏡の内部の機能構成を示すブロック図である。
【図４】実施形態１に係る操作部の内部の構成を示す模式図である。
【図５】実施形態１に係る操作部の断面を模式的に示す断面図である。
【図６】実施形態１に係る操作部の断面を模式的に示す断面図である。
【図７】実施形態１に係る操作部の外観の一例を示す模式図である。
【図８】実施形態２に係る操作部の外観の一例を示す模式図である。
【図９】実施形態２に係る操作部の内部の構成を示す模式図である。
【図１０】実施形態２に係る操作部の鉗子口の近傍部分の断面を模式的に示す断面図である。
【考案を実施するための形態】
【００１０】
以下本考案をその実施の形態を示す図面に基づき具体的に説明する。
（実施形態１）
図１は、内視鏡１の構成を示す模式図である。内視鏡１は、制御装置１０、挿入部２、操作部３、ユニバーサルコード５１及びコネクタ部５を備える。挿入部２は、生体又は建造物等の観察対象物の内部へ挿入される部分である。操作部３は、柱状であり、内視鏡１を使用する使用者が手で把持して操作する部分である。ユニバーサルコード５１は長尺であり、一端が操作部３に接続され、他端がコネクタ部５に接続されている。ユニバーサルコード５１は、軟性である。コネクタ部５は、制御装置１０に接続される。制御装置１０は、液晶ディスプレイ等のモニタ１１が接続される。
【００１１】
図２は、内視鏡１の一部の外観を示す外観図である。図２には、挿入部２、操作部３、ユニバーサルコード５１及びコネクタ部５の外観を示している。操作部３は、湾曲ノブ４及び鉗子口６を有する。鉗子口６は、鉗子を挿入するための入り口である。鉗子口６には、鉗子を挿入する挿入口を有する鉗子栓６１が固定されている。なお、内視鏡１は、鉗子口６を備えていない形態であってもよい。
【００１２】
挿入部２は、長尺の管状である。挿入部２の先端とは逆の端が操作部３に接続されている。挿入部２と操作部３との境には折れ止め部２４が設けられている。挿入部２は、操作部３側から順に軟性部２１、湾曲部２２及び先端部２３を有する。軟性部２１は、軟性である。湾曲部２２は、湾曲ノブ４の操作に応じて湾曲する。
【００１３】
図３は、内視鏡１の内部の機能構成を示すブロック図である。制御装置１０は、システムコントローラ１２、タイミングコントローラ１３、前段信号処理回路１４、後段信号処理回路１５、メモリ１６及び操作パネル１７を備えている。システムコントローラ１２には、タイミングコントローラ１３、前段信号処理回路１４、後段信号処理回路１５、メモリ１６及び操作パネル１７が接続されている。前段信号処理回路１４及び後段信号処理回路１５は、互いに接続され、タイミングコントローラ１３に接続されている。また、後段信号処理回路１５は、モニタ１１に接続される。
【００１４】
システムコントローラ１２は、メモリ１６に記憶された各種のプログラムを実行することにより、内視鏡１全体を統合的に制御する。また、システムコントローラ１２は、操作パネル１７より入力されるユーザからの指示に応じて、内視鏡１の各部分の動作を制御し、各動作のためのパラメータを変更する。タイミングコントローラ１３は、内視鏡１の各部分の動作のタイミングを調整するクロックパルスを各部分へ出力する。
【００１５】
操作部３の内部には、光源３０が配置されている。光源３０はＬＥＤ等の発光素子を用いて構成されている。光源３０はランプを用いていてもよい。コネクタ部５が制御装置１０に接続された状態で、システムコントローラ１２は、コネクタ部５、ユニバーサルコード５１及び操作部３内に配置された信号線を介して光源３０に接続される。システムコントローラ１２は、光源３０の動作を制御し、光源３０を発光させる。
【００１６】
挿入部２の内部には、ＬＣＢ２５が配置されている。ＬＣＢ２５は、導光線に対応する。ＬＣＢ２５は、導光を行うファイバの束である。ＬＣＢ２５は、長尺であり、一端に入射された光を他端まで導く。挿入部２が湾曲する際には、ＬＣＢ２５も同様に湾曲することができる。挿入部２内には、ＬＣＢ２５以外に、挿入部２を湾曲させるための機械部品、電気ケーブルでなる信号線、鉗子チャネル、及び送気・送水用のケーブル等が配置されている。ＬＣＢ２５の一端は操作部３内に配置されており、端面に光源３０から光が入射する。ＬＣＢ２５の他端は先端部２３内に位置しており、端面から光が出射する。以下、ＬＣＢ２５の操作部３側の端面を入射端、先端部２３側の端面を出射端と言う。ＬＣＢ２５の入射端は、光源３０に対向している。ＬＣＢ２５の出射端は、先端部２３の端面に設けられている配向レンズ２３１に対向している。光源３０からの光は、ＬＣＢ２５の入射端へ入射し、ＬＣＢ２５に導光され、ＬＣＢ２５の出射端から出射される。出射された光は、配向レンズ２３１を通過して先端部２３外へ放射される。放射された光は、観察対象物の内部を照明する。
【００１７】
先端部２３には、撮像ユニット２３４が備えられている。撮像ユニット２３４は、対物光学系２３２及び撮像素子２３３を有している。撮像素子２３３は、例えば、ＣＭＯＳ（Complementary Metal-Oxide-Semiconductor）イメージセンサ又はＣＣＤ（Charge Coupled Device）イメージセンサである。対物光学系２３２の一部は先端部２３の端面に露出している。配向レンズ２３１を通過して放射された光により、先端部２３外にある物体が照明され、物体で反射した光が対物光学系２３２を通過して撮像素子２３３へ入射する。対物光学系２３２は、撮像素子２３３の受光面に光学像を結像させ、撮像素子２３３は、先端部２３の外部の物体を撮像する。
【００１８】
コネクタ部５内には、ドライバ信号処理回路５２が備えられている。コネクタ部５、ユニバーサルコード５１、操作部３及び挿入部２の内部には、信号線が配置されている。撮像ユニット２３４は、信号線を介してドライバ信号処理回路５２に接続されている。撮像ユニット２３４は、撮像した画像を表す画像信号をドライバ信号処理回路５２へ入力する。例えば、画像信号が表す画像は動画である。コネクタ部５内には、更に、メモリ５３が備えられている。メモリ５３はドライバ信号処理回路５２に接続されている。メモリ５３は、撮像素子２３３の画素数等、撮像ユニット２３４に関する情報を記憶している。
【００１９】
コネクタ部５が制御装置１０に接続された状態で、ドライバ信号処理回路５２は、システムコントローラ１２、タイミングコントローラ１３及び前段信号処理回路１４に接続される。ドライバ信号処理回路５２は、撮像ユニット２３４に関する情報をメモリ５３から読み出し、システムコントローラ１２へ出力する。システムコントローラ１２は、撮像ユニット２３４に関する情報を受け付け、受け付けた情報に基づいて各種の演算を行い、制御信号を生成する。システムコントローラ１２は、生成した制御信号を用いて、各部分の動作及びタイミングを制御する。
【００２０】
タイミングコントローラ１３は、システムコントローラ１２によるタイミング制御に従って、ドライバ信号処理回路５２にクロックパルスを供給する。ドライバ信号処理回路５２は、タイミングコントローラ１３から供給されるクロックパルスに従って、撮像素子２３３を制御装置１０で処理される画像のフィールドレートに同期したタイミングで駆動制御する。
【００２１】
ドライバ信号処理回路５２は、画像信号を前段信号処理回路１４へ出力する。前段信号処理回路１４は、画像信号をドライバ信号処理回路５２から入力され、入力された画像信号に所定の信号処理を施し、信号処理後の画像信号を後段信号処理回路１５へ出力する。後段信号処理回路１５は、前段信号処理回路１４から入力された画像信号を処理してモニタ表示用の画面データを生成し、生成した画面データを所定のビデオフォーマットの信号へ変換する。後段信号処理回路１５は、変換後の信号をモニタ１１へ出力する。モニタ１１は、出力された信号を受け付け、受け付けた信号に基づいた画像を表示する。このようにして、観察対象物の内部の画像が表示される。
【００２２】
図４は、実施形態１に係る操作部３の内部の構成を示す模式図である。図４は、図３とは配置を左右逆にして示している。また、図４では、鉗子口６を省略している。図５及び図６は、実施形態１に係る操作部３の断面を模式的に示す断面図である。図５は、図４のＶ−Ｖ線で操作部３を切断した断面を示す。図６は、図４のＶＩ−ＶＩ線で操作部３を切断した断面を示す。図５及び図６が示す操作部３の断面は、ＬＣＢ２５の長手方向に交差する断面である。操作部３は筒状のハウジング３１を有する。ハウジング３１の内部は空洞である。ハウジング３１の表面は操作部３の表面を構成する。使用者は、ハウジング３１を手で把持して操作する。ハウジング３１の内部には、光源３０とＬＣＢ２５の一部とが配置されている。図６では、ＬＣＢ２５を省略している。前述したように、ハウジング３１の内部には、更に、図示しない信号線、鉗子チャネル、及び送気・送水用のケーブル等が配置されている。ＬＣＢ２５の入射端２５１は光源３０に対向している。ハウジング３１の長手方向、操作部３内でのＬＣＢ２５の長手方向、及び光源３０から入射端２５１へ入射する光の光軸は略一致している。
【００２３】
ハウジング３１の内部には、光を透過させる透光部材３２が配置されている。図４には、透光部材３２の、ＬＣＢ２５の長手方向に沿った断面を示す。図５及び図６には、透光部材３２の、ＬＣＢ２５の長手方向に交差した断面を示す。透光部材３２は、光源３０から発生した光の内で入射端２５１へ入射しない光が通過する位置に配置されている。具体的には、光源３０から入射端２５１へ入射する光の光軸を囲う位置に、透光部材３２が配置されている。光源３０と入射端２５１との間の光軸上には、透光部材３２は配置されていない。即ち、光軸を略中心として、光源３０及び入射端２５１の周囲に透光部材３２が配置されている。
【００２４】
透光部材３２は、ポリメチルメタアクリルメート又はポリカーボネート等の透明な樹脂で形成されている。透光部材３２では、操作部３の内側へ向いた面である内面へ光源３０からの光が入射する。透光部材３２は、光源３０から発生して入射端２５１へ入射しない光が可及的に多く入射するような形状を有することが望ましい。内面へ入射した光は、操作部３の外側へ向いた面である表面まで透過する。光は、透光部材３２の内面から表面まで直線状に透過するか、又は、透光部材３２の内部で反射をして表面まで透過する。透光部材３２の表面は、ハウジング３１の近傍に位置している。透光部材３２の表面はハウジング３１に内側から接触していてもよい。このようにして、光源３０から発生して入射端２５１へ入射しない光は、操作部３の表面付近まで透光部材３２を透過する。図５には透光部材３２が一体に形成されている例を示したが、透光部材３２は複数に分割されていてもよい。
【００２５】
図７は、実施形態１に係る操作部３の外観の一例を示す模式図である。図７では、湾曲ノブ４及び鉗子口６を省略している。操作部３は、透光部材３２の中を透過した光が操作部３の外部へ放射される第１窓部３３を有している。例えば、第１窓部３３は、ハウジング３１の一部に開口部が形成され、開口部から透光部材３２の表面が露出した構成になっている。透光部材３２は、ハウジング３１の開口部に係合する形状を有していてもよい。また、例えば、第１窓部３３は、透光性の窓材で形成されており、窓材が透光部材３２の表面に対向している。ハウジング３１の少なくとも一部が透光性の材料で構成され第１窓部３３以外の部分が塗装等によって不透明になっていてもよい。光源３０から発生して入射端２５１へ入射しない光は、透光部材３２へ入射し、透光部材３２の内部を透過し、第１窓部３３を通って操作部３の外部へ放射される。
【００２６】
光源３０から発生して入射端２５１へ入射しない光が操作部３の内部で吸収された場合、光の吸収によって熱が発生し、内視鏡１の内部が過熱される。本実施形態では、光源３０から発生して入射端２５１へ入射しない光の一部は、透光部材３２を透過し、第１窓部３３から放射される。操作部３の内部で吸収される光の量が減少し、発生する熱が減少する。内視鏡１が気密構造を有している場合であっても、光は透光部材３２を透過し、第１窓部３３から放射されることが可能であるので、熱の発生が効果的に抑制される。従って、内視鏡１の内部の過熱が緩和される。
【００２７】
第１窓部３３から放射される光は、使用者が視認することが可能である。第１窓部３３から放射される光を視認することによって、使用者は光源３０が発光していることを確認することができる。逆に、第１窓部３３から放射される光を視認することができない場合は、使用者は、光源３０が発光していないことを確認することができる。何らかの理由で光源３０が意図せず消灯してしまった場合、使用者は、第１窓部３３から放射される光を視認できなくなったことに応じて、光源３０が消灯したことを即座に知ることができる。内視鏡１の使用中に光源３０が意図せず消灯した場合、モニタ１１に表示される画像が暗くなり、観察が不可能になる。第１窓部３３を有していない従来の内視鏡では、画像が暗くなった原因が即座には不明であり、内視鏡１の復旧が困難である。本実施形態では、画像が暗くなった原因は光源３０の消灯であることが即座に明らかとなるので、内視鏡１の復旧はより容易となる。
【００２８】
透光部材３２は、ＬＣＢ２５の長手方向に沿った方向に伸張している。透光部材３２が伸張していることによって、光源３０から発生して入射端２５１へ入射しない光は、より多く透光部材３２へ入射する。また、第１窓部３３は、ＬＣＢ２５の長手方向に沿った方向に長い形状になっている。第１窓部３３が長い形状を有していることによって、透光部材３２を透過した光が多く第１窓部３３から放射される。このため、光が効果的に操作部３の外部へ放射され、内視鏡１の内部の過熱が効果的に緩和される。
【００２９】
前述のように、光源３０から入射端２５１へ入射する光の光軸を囲う位置に透光部材３２が配置されている。即ち、透光部材３２は、光源３０から見て、ＬＣＢ２５の長手方向に交差する複数の方向に配置されている。光源３０から見て複数の方向に透光部材３２が配置されていることによって、光源３０から発生して入射端２５１へ入射しない光は、より多く透光部材３２へ入射する。また、操作部３は複数の第１窓部３３を備えている。複数の第１窓部３３は、操作部３の周方向の複数の位置に配置されている。操作部３の周方向は、ＬＣＢ２５の長手方向に沿った操作部３の中心軸の周りを一周する方向である。複数の第１窓部３３が配置されていることによって、透光部材３２を透過した光が多く放射される。このため、光が効果的に操作部３の外部へ放射され、内視鏡１の内部の過熱が効果的に緩和される。なお、第１窓部３３の数は単数であってもよい。
【００３０】
更に、操作部３は、第２窓部３４を有している。第２窓部３４は、第１窓部３３と同様に、透光部材３２の中を透過した光が操作部３の外部へ放射されるようになっている。また、第２窓部３４は、内視鏡１の製品ロゴ又はシリアルナンバー等の特定の情報が光の放射によって表示されるようになっている。例えば、第２窓部３４は、透光性の窓材で形成されており、窓材に文字又は図形が記載されている。文字又は図形の部分は、窓材の他の部分と光の透過率が異なっており、窓材を光が透過する際に文字又は図形が表示される。文字又は図形は、特定の情報を意味するようになっている。光源３０から発生して入射端２５１へ入射しない光の一部は、透光部材３２の内部を透過し、第２窓部３４を通って操作部３の外部へ放射される。第２窓部３４の数は単数でも複数でもよい。
【００３１】
第２窓部３４から光が放射させることによって、熱の発生が抑制され、内視鏡１の内部の過熱が緩和される。また、第２窓部３４から放射される光は使用者によって視認され、使用者は、第２窓部３４に表示された情報を得ることができる。光の放射によって表示される情報は、内視鏡１の外面に記載された情報に比べて、使用者が視認し易い。第２窓部３４を用いることによって、ディスプレイを用いることなく、視認しやすい情報の表示が可能である。第１窓部３３及び第２窓部３４は、本考案における窓部に対応する。
【００３２】
また、ハウジング３１の少なくとも一部は、金属等の熱伝導率の高い熱伝導材で形成されている。ハウジング３１は、透光部材３２の表面の少なくとも一部を覆っており、透光部材３２の内部を透過してきた光を遮蔽する。ハウジング３１は、熱伝導部材に対応する。ハウジング３１が光を遮蔽することにより、ハウジング３１に熱が発生する。発生した熱は、ハウジング３１を伝導し、操作部３の外部へ放出される。例えば、熱は、ハウジング３１の表面から外気へ放出されるか、又はハウジング３１に接触した使用者の手へ放出される。ハウジング３１は、遮蔽した光を吸収しやすいように構成されていることが望ましい。例えば、ハウジング３１の内面は、黒色に塗装されている。
【００３３】
以上詳述した如く、本実施形態では、操作部３の内部に光源３０を備えた内視鏡１において、光源３０から発生して観察には利用されない光を、操作部３の表面まで透過させる。操作部３の内部で光が吸収されることが抑制され、光の吸収による熱の発生が抑制される。第１窓部３３及び第２窓部３４から光が放射されることにより、操作部３の内部で発生する熱が減少し、内視鏡１の内部の過熱が緩和される。また、熱伝導材で形成されたハウジング３１が光を遮蔽し、発生した熱を伝導させることにより、熱が放出され、同様に、内視鏡１の内部の過熱が緩和される。内視鏡１が気密構造を有している場合であっても、光の放射及び放熱は容易に行うことが可能であり、内視鏡１の内部の過熱が緩和される。ヒートシンク等の熱の経路を用いることなく過熱の緩和が可能であるので、内視鏡１の構成を簡素化し、内視鏡１を軽量化することが可能となる。
【００３４】
なお、本実施形態においては、内視鏡１が第１窓部３３及び第２窓部３４を備えた形態を示したが、内視鏡１は、第１窓部３３又は第２窓部３４のいずれか一方のみを備えた形態であってもよい。また、内視鏡１は、ハウジング３１が熱伝導部材として機能しない形態であってもよい。これらの形態においても、第１窓部３３又は第２窓部３４から光が放射されることによって、内視鏡１の過熱の緩和が可能である。
【００３５】
（実施形態２）
図８は、実施形態２に係る操作部３の外観の一例を示す模式図である。実施形態１と同様に、操作部３の内部には光源３０と、入射端２５１を含むＬＣＢ２５の一部と、透光部材３２とが配置されており、操作部３は第１窓部３３及び第２窓部３４を有している。第１窓部３３及び第２窓部３４からは、光源３０から発生してＬＣＢ２５の入射端２５１へ入射しない光が放射される。更に、鉗子口６の近傍には、透光部材３２の中を透過した光が操作部３の外部へ放射される部分であり、光の放射によって鉗子口６の位置を示す指示部３５が設けられている。
【００３６】
図９は、実施形態２に係る操作部３の内部の構成を示す模式図である。図１０は、実施形態２に係る操作部３の鉗子口６の近傍部分の断面を模式的に示す断面図である。図１０は、図９のＸ−Ｘ線で操作部３を切断した断面を示す。透光部材３２は、鉗子口６の近傍まで延伸しており、透光部材３２の内部を透過した光の一部は、指示部３５から放射される。内視鏡１のその他の部分の構成は、実施形態１と同様である。
【００３７】
指示部３５は、単に光の放射によって鉗子口６の位置を示す構成であってもよい。例えば、指示部３５は、透光性の窓材で形成されており、窓材が透光部材３２の表面に対向している。図８〜１０には、指示部３５が環状である例を示しているが、指示部３５は環状でなくてもよい。例えば、指示部３５は、鉗子口６付近のハウジング３１の一部に開口部が形成された構成になっていてもよい。鉗子口６の近傍まで透光部材３２の内部を透過した光は、指示部３５を通って操作部３の外部へ放射される。指示部３５から放射される光は、使用者が視認することが可能である。第１窓部３３及び第２窓部３４とは異なる位置にある指示部３５から放射される光を視認することによって、使用者は、鉗子口６の位置を確認することができる。第１窓部３３及び第２窓部３４との見分けがつきやすいように、指示部３５の形状は第１窓部３３及び第２窓部３４と異なっていることが望ましい。
【００３８】
また、指示部３５は、図形又は文字により鉗子口６の位置を示す情報を表示する構成であってもよい。例えば、指示部３５は、透光性の窓材で形成されており、窓材に文字又は図形が記載されている。文字又は図形の部分は、窓材の他の部分と光の透過率が異なっており、窓材を光が透過する際に文字又は図形が表示される。文字又は図形は、鉗子口６の位置を示す情報を意味するようになっている。鉗子口６の近傍まで透光部材３２の内部を透過した光は、指示部３５を通って操作部３の外部へ放射される。指示部３５から放射される光は使用者によって視認され、使用者は、指示部３５に表示された情報を得て、鉗子口６の位置を確認することができる。
【００３９】
以上詳述した如く、本実施形態においては、光源３０から発生して入射端２５１へ入射しない光の一部が指示部３５から放射されることにより、鉗子口６の位置が示される。使用者は、鉗子口６の位置を容易に確認することができ、内視鏡１の使用中に鉗子口６を容易に使用することが可能となる。
【００４０】
なお、以上の実施形態１及び２においては、第１窓部３３、第２窓部又は指示部３５から光を放射する形態を示したが、内視鏡１は、ハウジング３１の全体から光を放射する形態であってもよい。例えば、ハウジング３１の全体が透光性の材料で構成され、光源３０から発生して入射端２５１へ入射しない光が透光部材３２及びハウジング３１を通過して操作部３の外部へ放射されてもよい。また、内視鏡１は、外部への光の放射をせずにハウジング３１から放熱を行う形態であってもよい。例えば、操作部３は、第１窓部３３、第２窓部及び指示部３５を有さず、透光部材３２を透過した光をハウジング３１で吸収し、発生した熱をハウジング３１に伝導させ、操作部３の外部へ熱を放出するように構成されていてもよい。
【００４１】
本考案は上述した実施の形態の内容に限定されるものではなく、請求項に示した範囲で種々の変更が可能である。即ち、請求項に示した範囲で適宜変更した技術的手段を組み合わせて得られる実施形態も本考案の技術的範囲に含まれる。
【符号の説明】
【００４２】
１  内視鏡
１０  制御装置
２  挿入部
２５  ＬＣＢ（導光線）
２５１  入射端
３  操作部
３０  光源
３１  ハウジング（熱伝導部材）
３２  透光部材
３３  第１窓部
３４  第２窓部
３５  指示部
６  鉗子口
【図１】
0003215848.tif 000003
【図２】
0003215848.tif 000004
【図３】
0003215848.tif 000005
【図４】
0003215848.tif 000006
【図５】
0003215848.tif 000007
【図６】
0003215848.tif 000008
【図７】
0003215848.tif 000009
【図８】
0003215848.tif 000010
【図９】
0003215848.tif 000011
【図１０】
0003215848.tif 000012